(57)【要約】【課題】ユーザーにとって興趣性が高い音声合成システムを提供すること。【解決手段】音声合成システム１は、スピーカー装置２、３と連絡先サーバー４とから構成される。スピーカー装置３のＳｏＣは、連絡先サーバー４に記憶されている音素情報とユーザー連絡先情報とを取得して記憶する。ＳｏＣは、他のユーザー端末であるスピーカー装置２からのテキストを受信した場合、ユーザーＡのスピーカー装置２のユーザー連絡先情報と対応するユーザーＡの音素情報に基づいて、受信したテキストを読み上げる。【選択図】図５
2019113681.tif 000002
【特許請求の範囲】
【請求項１】
録音された音声データから音素情報を取得し、
取得した音素情報とユーザー連絡先情報とを対応付けて記憶し、
ユーザー端末は、記憶されている音素情報とユーザー連絡先情報とを取得して記憶し、他のユーザー端末からのテキストを受信した場合、他のユーザー端末のユーザー連絡先情報と対応する音素情報に基づいて、受信したテキストを読み上げることを特徴とする音声合成システム。
【請求項２】
前記録音された音声データは、ユーザー端末に対して、音声認識時に発話された音声データであることを特徴とする請求項１に記載の音声合成システム。
【請求項３】
音素情報とユーザー連絡先情報とを対応付けて複数記憶し、
複数の音素情報とユーザー連絡先情報とは、複数のユーザー端末に記憶され、複数のユーザー端末で共有されることを特徴とする請求項１又は２に記載の音声合成システム。
【発明の詳細な説明】
【技術分野】
【０００１】
本発明は、音声合成を行う音声合成システムに関する。
【背景技術】
【０００２】
音声合成を行う音声合成システムは、読み上げ対象のテキストを音声に変換し（TTS: Text To Speech）、変換した音声を出力する。特許文献１には、読み上げ対象文書の属するカテゴリを判別し、読み上げ対象文書に対し、判別結果のカテゴリに対応する音声読み上げ設定を行い、読み上げ対象文書に対応する読み上げ対象文書データおよび音声読み上げ設定に基づいて音声読み上げを行う発明が開示されている。例えば、読み上げ対象文書のカテゴリが、ニュースであれば、アナウンサーの声で、読み上げ対象文書の読み上げが行われる。
【先行技術文献】
【特許文献】
【０００３】
【特許文献１】特開２００３−０４４０７２号公報
【発明の概要】
【発明が解決しようとする課題】
【０００４】
例えば、ユーザーの友人からのメールを受信した場合に、その友人の声でメールが読み上げられれば、ユーザーを楽しませることができる。
【０００５】
本発明の目的は、ユーザーにとって興趣性が高い音声合成システムを提供することである。
【課題を解決するための手段】
【０００６】
第１の発明の音声合成システムは、録音された音声データから音素情報を取得し、取得した音素情報とユーザー連絡先情報とを対応付けて記憶し、ユーザー端末は、記憶されている音素情報とユーザー連絡先情報とを取得して記憶し、他のユーザー端末からのテキストを受信した場合、他のユーザー端末のユーザー連絡先情報と対応する音素情報に基づいて、受信したテキストを読み上げることを特徴とする。
【０００７】
本発明では、ユーザー端末は、他のユーザー端末からのテキストを受信した場合、他のユーザー端末のユーザー連絡先情報と対応する音素情報に基づいて、テキストを読み上げる。例えば、ユーザーＡのユーザー端末からテキストを受信した場合、ユーザーＡの特徴を生かした音声でテキストが読み上げられる。これにより、ユーザーを楽しませることができる。従って、本発明の音声合成システムは、興趣性が高い。
【０００８】
第２の発明の音声合成システムは、第１の発明の音声合成システムにおいて、前記録音された音声データは、ユーザー端末に対して、音声認識時に発話された音声データであることを特徴とする。
【０００９】
本発明では、録音された音声データは、ユーザー端末に対して、音声認識時に発話された音声データである。このため、ユーザーは、音素情報を音声合成システムに記憶させるためだけに、発話する必要がない。
【００１０】
第３の発明の音声合成システムは、第１又は第２の発明の音声合成システムにおいて、  音素情報とユーザー連絡先情報とを対応付けて複数記憶し、複数の音素情報とユーザー連絡先情報とは、複数のユーザー端末に記憶され、複数のユーザー端末で共有されることを特徴とする。
【発明の効果】
【００１１】
本発明によれば、ユーザーにとって興趣性が高い音声合成システムを提供することができる。
【図面の簡単な説明】
【００１２】
【図１】本発明の実施形態に係る音声合成システムの構成を示すブロック図である。
【図２】音声合成時の動作を説明するための図である。
【図３】音声合成時の動作を説明するための図である。
【図４】音声合成時の動作を説明するための図である。
【図５】音声合成時の動作を説明するための図である。
【発明を実施するための形態】
【００１３】
まず、本実施形態に関連する音声合成技術について説明する。ユーザーは、例えば、音声認識機能を有するスピーカー装置に対して発話し、ユーザーの肉声が録音される。録音された音声データの特徴は、音素情報として、記憶される。ＴＴＳ（Test To Speech）時、音素情報を利用することにより、ユーザーの肉声の特徴をとらえた音声が発話される。
【００１４】
次に、連絡先の共有技術について説明する。ユーザーの電話帳等の連絡先は、ローカル（端末）と併せて、サーバーで管理されている。ユーザーＡの端末は、同じサーバーに管理されているユーザーＢの情報を、サーバーからダウンロードすることができる。ユーザーＡの端末は、ユーザーＢの情報に基づいて、ユーザーＢのサムネイル画像を参照することができる。
【００１５】
以下、本発明の実施形態について説明する。図１は、本発明の実施形態に係る音声合成システムの構成を示すブロック図である。音声合成システム１は、スピーカー装置２、３と連絡先サーバー４とから構成される。スピーカー装置２（ユーザー端末）は、ユーザーＡに所有されている端末である。スピーカー装置３（ユーザー端末）は、ユーザーＢに所有されている端末である。スピーカー装置２、３は、それぞれ、ＳｏＣ（System on Chip）（制御部）、マイク、スピーカー等を備える。連絡先サーバー４は、スピーカー装置２、３の所有者であるユーザーＡ、Ｂを含むユーザー連絡先情報（ユーザー名、電話番号、メールアドレス、ユーザーＩＤ等）を記憶している。
【００１６】
スピーカー装置２は、音声認識を行う音声認識システムを構成しており、図２に示すように、ユーザーＡは、スピーカー装置２に対して、例えば、「今日の天気は？」、「スポーツニュース教えて」と発話する。ＳｏＣは、音声認識時にユーザーから発話された音声データを録音する。ＳｏＣは、録音した音声データから音素情報を取得する。従って、ＳｏＣにより録音された音声データは、スピーカー装置３に対して、音声認識時に発話された音声データである。上記のように、ユーザーＡが通常利用している音声を活用し、音素情報が取得される。
【００１７】
図３に示すように、ＳｏＣは、取得したユーザーＡの音素情報を連絡先サーバー４に送信する。連絡先サーバー４は、スピーカー装置２から送信されたユーザーＡの音素情報を受信（取得）する。連絡先サーバー４は、受信したユーザーＡの音素情報とユーザーＡの連絡先情報とを対応付けて記憶する。このようにして、ユーザーの音素情報が、連絡先サーバー４に登録される。なお、本実施形態では、スピーカー装置２で音素情報が取得され、連絡先サーバー４に送信されるようになっているが、音声データが連絡先サーバー４に送信され、連絡先サーバー４が、音声データから音素情報を取得するようになっていてもよい。
【００１８】
図４に示すように、ユーザーＢが所有するスピーカー装置３のＳｏＣは、ユーザー操作に基づいて、連絡先サーバー４からユーザーＡの連絡先情報と音素情報とをダウンロード（取得）して、記憶する。ここで、連絡先サーバー４は、音素情報とユーザー連絡先情報とを対応付けて記憶している。複数の音素情報とユーザー連絡先情報とは、複数のスピーカー装置に記憶され、複数のスピーカー装置で共有される
【００１９】
次に、図５に示すように、ユーザーＡが、スピーカー装置２に対して、「ユーザーＢに「明日遊びに行きましょう」とメッセージを送って」と発話したとする。ＳｏＣは、音声に基づいて、「明日遊びに行きましょう」というテキストを、ユーザーＢが所有するスピーカー装置３に送信する。スピーカー装置３のＳｏＣは、ユーザーＡのスピーカー装置２からのテキストを受信した場合、ユーザーＡのスピーカー装置２の連絡先情報と対応するユーザーＡの音素情報に基づいて、受信したテキスト「明日遊びに行きましょう」を読み上げる。すなわち、ＳｏＣは、ユーザーＡの音素情報を利用して、ユーザーＡの特徴を活かした音声で発話する。
【００２０】
以上説明したように、本実施形態では、スピーカー装置３のＳｏＣは、他のユーザー端末であるスピーカー装置２からのテキストを受信した場合、ユーザーＡのスピーカー装置２のユーザー連絡先情報と対応するユーザーＡの音素情報に基づいて、テキストを読み上げる。従って、ユーザーＡの特徴を生かした音声でテキストが読み上げられる。これにより、ユーザーを楽しませることができる。従って、本実施形態の音声合成システム１は、興趣性が高い。
【００２１】
また、本実施形態では、録音された音声データは、スピーカー装置２に対して、音声認識時に発話された音声データである。このため、ユーザーは、音素情報を音声合成システム１に記憶させるためだけに、発話する必要がない
【００２２】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００２３】
上述の実施形態では、ユーザー端末として、スピーカー装置２、３を例示した。これに限らず、スマートフォン等であってもよい。
【産業上の利用可能性】
【００２４】
本発明は、音声合成を行う音声合成システムに好適に採用され得る。
【符号の説明】
【００２５】
１  音声合成システム
２、３  スピーカー装置（ユーザー端末）
４  連絡先サーバー
【図１】
2019113681.tif 000003
【図２】
2019113681.tif 000004
【図３】
2019113681.tif 000005
【図４】
2019113681.tif 000006
【図５】
2019113681.tif 000007